(57)【要約】【課題】  リヤカバーの下端側に主整地部から左右方向外方に延出する延長整地部を備え、該延長整地部が遠隔操作によって延長姿勢と退避姿勢とに切換え操作可能とされたロータリ耕耘機において、延長整地部を延長姿勢と退避姿勢とに切り換える際の操作力の低減を図る。【解決手段】  回動操作されることにより延長整地部２３を延長姿勢Ｂから退避姿勢Ｃに姿勢変更させる押動部材４０を設け、延長整地部２３を延長姿勢Ｂから退避姿勢Ｃ側に回動させるように押動部材４０を付勢する退避操作バネ４１を設け、押動部材４０と延長整地部２３とにわたって設けられていて、延長姿勢Ｂにおいて、延長整地部２３を圃場に押しつける方向に付勢する抑えバネ４５を設ける。【選択図】図１
2008104369.tif 000002
【特許請求の範囲】
【請求項１】
圃場を整地する整地部（２５）が、主整地部（２４）と、この主整地部（２４）から左右方向外方に延出状とされた延長整地部（２３）とを備えてなり、延長整地部（２３）は主整地部（２４）に対して回動自在とされていて回動させることにより延長姿勢（Ｂ）から主整地部（２４）の背面側に位置する退避姿勢（Ｃ）へと姿勢変更可能とされ、回動操作されることにより延長整地部（２３）を延長姿勢（Ｂ）から退避姿勢（Ｃ）に姿勢変更させる押動部材（４０）を備え、延長整地部（２３）を延長姿勢（Ｂ）から退避姿勢（Ｃ）側に回動させるように押動部材（４０）を付勢する退避操作用付勢手段（４１）と、押動部材（４０）と延長整地部（２３）とにわたって設けられていて延長姿勢（Ｂ）において延長整地部（２３）を圃場に押しつける方向に付勢する延長整地部抑え用付勢手段（４５）とを備えていることを特徴とする作業機。
【請求項２】
押動部材（４０）を遠隔操作するための操作ワイヤ（２７）を備え、この操作ワイヤ（２７）は、一端側が押動部材（４０）側に連結されたインナーワイヤ（２８）と、該インナーワイヤ（２８）をガイドするアウターワイヤ（２９）とから主構成され、延長整地部（２３）が退避姿勢（Ｃ）にある状態でインナーワイヤ（２８）を引動操作することにより押動部材（４０）が回動すると共に延長整地部抑え用付勢手段（４５）の付勢力によって延長整地部材（２３）が押動部材（４０）に追従して延長姿勢（Ｂ）へと回動するように構成され、前記操作ワイヤ（２７）の押動部材（４０）連結側は主整地部（２４）に略沿って配設されており、インナーワイヤ（２８）の一端側は、延長整地部（２３）が延長姿勢とされている状態で押動部材（４０）の回動支点（３７）と主整地部（２４）との間で押動部材（４０）に連結されていることを特徴とする請求項１に記載の作業機。
【発明の詳細な説明】
【技術分野】
【０００１】
本発明は、ロータリ耕耘機等の整地機能を有する作業機に関するものである。
【背景技術】
【０００２】
従来、整地機能を有する作業機としてロータリ耕耘機があり、該ロータリ耕耘機は、トラクタの後部に三点リンク機等の装着装置を介して昇降自在に装着される機枠と、この機枠の下部に左右方向の軸心回りに回転自在に設けられた爪軸に多数の耕耘爪を取り付けてなるロータリ耕耘部と、このロータリ耕耘部を覆う耕耘カバーとを備えている。
前記ロータリカバーは、ロータリ耕耘部の上方を覆う主カバーと、ロータリ耕耘部の後方を覆うリヤカバーとを備え、前記リヤカバーの下端側には圃場に接地して該圃場を整地する整地部が設けられている。
【０００３】
前記整地部として、リヤカバーの主要部分の左右幅に相当する主整地部と、この主整地部の左右両側に設けられていて該主整地部から左右方向外方に延出状とされた延長整地部とを備えたものがあり、前記延長整地部は主整地部に回動自在に支持されていて、回動させることにより、延長姿勢から、主整地部の背面側に位置する退避姿勢に姿勢変更可能とされている。
また、ロータリ耕耘機として、延長姿勢にして耕耘している最中に、土壌からの押圧力によって延長整地部が突き上げられて退避姿勢側に回動しても常に延長姿勢に復帰できるように、延長整地部を付勢手段によって退避姿勢から延長姿勢へと回動させる方向に常に付勢するようにしたものがある（特許文献１参照）。
【特許文献１】特開２００５−１３０８２４号公報
【発明の開示】
【発明が解決しようとする課題】
【０００４】
前記従来のロータリ耕耘機にあっては、前記延長整地部を延長姿勢へと付勢する付勢手段の付勢力は、土壌を抑えるために大きな付勢力が必要とされ、また、延長整地部を常に退避姿勢から延長姿勢へと回動させる方向に付勢していることから、延長整地部を延長姿勢から退避姿勢へと回動させるにつれて延長整地部を付勢する付勢手段の付勢力が徐々に大きくなり、延長整地部を延長姿勢から退避姿勢へと姿勢変更させる際の（延長整地部を延長姿勢と退避姿勢とに切り換える際の）操作力が大であるという問題がある。
そこで、本発明は、前記問題点に鑑みて、延長整地部を延長姿勢と退避姿勢とに切り換える際の操作力の低減を図った作業機を提供することを目的とする。
【課題を解決するための手段】
【０００５】
前記技術的課題を解決するために本発明が講じた技術的手段は、圃場を整地する整地部が、主整地部と、この主整地部から左右方向外方に延出状とされた延長整地部とを備えてなり、延長整地部は主整地部に対して回動自在とされていて回動させることにより延長姿勢から主整地部の背面側に位置する退避姿勢へと姿勢変更可能とされ、回動操作されることにより延長整地部を延長姿勢から退避姿勢に姿勢変更させる押動部材を備え、延長整地部を延長姿勢から退避姿勢側に回動させるように押動部材を付勢する退避操作用付勢手段と、押動部材と延長整地部とにわたって設けられていて延長姿勢において延長整地部を圃場に押しつける方向に付勢する延長整地部抑え用付勢手段とを備えていることを特徴とする。
【０００６】
また、押動部材を遠隔操作するための操作ワイヤを備え、この操作ワイヤは、一端側が押動部材に連結されたインナーワイヤと、該インナーワイヤをガイドするアウターワイヤとから主構成され、延長整地部が退避姿勢にある状態でインナーワイヤを引動操作することにより押動部材が回動すると共に延長整地部抑え用付勢手段の付勢力によって延長整地部材が押動部材に追従して延長姿勢へと回動するように構成され、前記操作ワイヤの押動部材連結側は主整地部に略沿って配設されており、インナーワイヤの一端側は、延長整地部が延長姿勢とされている状態で押動部材の回動支点と主整地部との間で押動部材に連結されているのがよい。
【発明の効果】
【０００７】
本発明によれば、延長整地部を延長姿勢から退避姿勢側に回動させるのは退避操作用付勢手段の付勢力によって行われ、延長整地部を圃場に押しつける方向に付勢するのは延長整地部抑え用付勢手段の付勢力によって行われることから、延長整地部を圃場に押しつける方向に付勢するための付勢力を十分に大きく採っても、延長整地部を退避姿勢に回動させるための付勢力は必要最小限の付勢力にできるため、延長整地部を延長姿勢と退避姿勢とに切り換える際の操作力の低減を図ることができる。
【発明を実施するための最良の形態】
【０００８】
以下、本発明の実施の形態を図面を参照して説明する。
図６において、１はトラクタの後部に三点リンク機構等を介して昇降自在に装着される作業機として例示するロータリ耕耘機である。
このロータリ耕耘機１は、中央のギヤケースから左右にサポートアーム３を突設し、一方のサポートアーム３の左右方向外端側に伝動ケース４の上部を固定すると共に、他方のサポートアーム３の左右方向外端側にサイドフレームの上部を固定して門型に主構成された機枠５を有する。
【０００９】
この機枠５のギヤケースにはトップマスト６が上方突出状に固定され、このトップマスト６には上連結ブラケット７が前上方突出状に設けられ、この上連結ブラケット７の上端側には、三点リンク機構のトップリンクの後端側又は三点リンク機構の後端側に連結される連結枠の上部に取り付けられる上取付ピン８が設けられている。
また、機枠５の左右各サポートアーム３には下連結ブラケット９が設けられ、この下連結ブラケット９の前端側には、三点リンク機構のロワーリンクの後端側又は三点リンク機構の後端側に連結される連結枠の下部に取り付けられる下取付ピン１０が設けられている。
【００１０】
また、機枠５の下部には、伝動ケース４とサイドフレームとの下部間に左右方向の軸心廻りに回動自在に支持された爪軸１１と、この爪軸１１に取り付けられた多数の耕耘爪１２とを備えてなるロータリ耕耘部１３が設けられている。
なお、機枠５のギヤケースには、トラクタのＰＴＯ軸からドライブシャフトを介して動力が伝達されるＰＩＣ軸１４が設けられ、このＰＩＣ軸１４に伝達された動力は、ギヤケース内の動力伝達機構、サポートアーム３内の伝動軸、伝動ケース４内の動力伝達機構を経て爪軸１１に伝達されて、該爪軸１１が、例えば、矢示Ａ方向に回転駆動されるように構成されている。
【００１１】
このロータリ耕耘機１には、前記ロータリ耕耘部１３を覆うロータリカバー１５が設けられており、このロータリカバー１５は、ロータリ耕耘部１３の上方を覆う上部カバー１６と、ロータリ耕耘部１３の後方を覆うリヤカバー１７と、ロータリ耕耘部１３の後部の左右両側を覆うサイドカバー１８とを備えている。
上部カバー１６は、その左右方向の端部が、伝動ケース４とサイドフレームとに取付固定されている。
リヤカバー１７は、上端側が上部カバー１６の後端側（機枠５側）に、左右方向の軸心を有する枢軸１９の軸心回りに回動自在に枢支されていて、上下揺動自在に支持されており、該リヤカバー１７の背面の左右両側には、リヤカバー１７の上部側から下部側にわたって補強部材２０が設けられている。
【００１２】
サイドカバー１８は、伝動ケース４又はサイドフレーム等に取付固定されている。
なお、ロータリ耕耘機１には、リヤカバー１７の下端側を下方側（接地方向）に付勢する弾下装置が設けられると共に、ゲージ輪や培土器，畝立器等を取り付けるための支持フレーム等が設けられる。
本実施の形態にあっては、図４に示すように、前記リヤカバー１７は、主として耕耘部１３から放てきされた土を受ける部分である主要部２１と、この主要部２１の下部側の左右両端側で且つ前記補強部材２０の左右方向外方側に形成された切欠部を塞ぐ左右一対の閉鎖カバー２２と、この左右各閉鎖カバー２２に設けられた延長整地部２３とから主構成されている。
【００１３】
図７に示すように、このリヤカバー１７の主要部２１及び閉鎖カバー２２の下端側、並びに延長整地部２３は、その背面側が後方に向けて開放状となる溝状に形成されている（正面側に向けて凸となる湾曲状とされている）。
このリヤカバー１７の主要部２１及び閉鎖カバー２２の下端側正面、並びに延長整地部２３の正面は、耕耘部１３で耕耘された土壌を整地すべく接地し、本実施の形態では、主要部２１下端側の接地部分と、閉鎖カバー２２下端側の接地部分とから、リヤカバー１７の主要部２１の左右幅に相当する主整地部２４が構成され、この主整地部２４と前記延長整地部２３とからリヤカバー１７の整地部２５が構成されている。
【００１４】
前記延長整地部２３は、図３，図４に示すように、主整地部２４から左右方向外方に延出状とされた延長姿勢Ｂと、主整地部２４の背面側（反接地側）に位置する退避姿勢Ｃとに姿勢変更可能として主整地部２４に回動自在に支持されている（本実施の形態では、延長整地部２３は、閉鎖カバー２２に取り付けられていて該閉鎖カバー２２の下部側から左右方向外方に延出状とされて延長姿勢Ｂとされている）。
この延長整地部２３は、延長姿勢Ｂにおいて、その左右方向内端側が閉鎖カバー２２下部の左右方向外端側に突き合わせ状に接当しており、退避姿勢Ｃでは、閉鎖カバー２２に重ね合わされるように位置している。
【００１５】
また、左右の各延長整地部２３は、前記トップマスト６に左右軸回りに揺動操作自在に支持された操作レバー（操作部材）２６に操作ワイヤ２７を介して連動連結されており、この操作レバー２６の揺動操作によって左右の延長整地部２３が延長姿勢Ｂと退避姿勢Ｃとに同時に姿勢変更操作可能とされている。
この操作レバー２６はロータリ耕耘機１を上昇させることによりトラクタの運転席側から把持可能とされており、これによって、延長整地部２３がトラクタの運転席から遠隔操作可能とされている。
【００１６】
操作ワイヤ２７は、プッシュプルワイヤ、ボーデンワイヤ等からなり、インナーワイヤ２８と、該インナーワイヤ２８をガイドするアウターワイヤ２９とから主構成され、インナーワイヤ２８の一端側は延長整地部２３側（延長整地部２３を姿勢変更操作する部材）に連動連結され、インナーワイヤ２８の他端側は操作レバー２６側に連結され、アウターワイヤ２９の一端側はリヤカバー１７背面の前記補強部材２０の下端側に設けられたアウター受け３０に取付固定され、アウターワイヤ２９の他端側はトップマスト６に設けられたアウター取付ブラケット３１に左右軸回りに回動自在に取付支持されている。
【００１７】
前記操作レバー２６が、図６において実線で示す退避操作位置Ｄに位置しているときには延長整地部２３が退避姿勢Ｃとされ、該操作レバー２６を、退避操作位置Ｄから図６において仮想線で示す延長操作位置Ｅまで揺動操作することにより、延長整地部２３が退避姿勢Ｃから延長姿勢Ｂへと姿勢変更操作され、また、操作レバー２６を延長操作位置Ｅから退避操作位置Ｄに戻すと延長整地部２３が延長姿勢Ｂから退避姿勢Ｃへと姿勢変更操作されるように構成されている。
また、操作レバー２６は、アウター取付ブラケット３１に接当することにより延長操作位置Ｅから退避操作位置Ｄへと揺動する方向の移動が規制されて、延長整地部２３が退避姿勢Ｃに保持され、操作レバー２６を延長操作位置Ｅにてトップマスト６に設けられた止め金具３２に引っ掛けることにより、延長操作位置Ｅから退避操作位置Ｄへと揺動させる方向の移動が規制されて、延長整地部２３が延長姿勢Ｂに保持されるように構成されている。
【００１８】
図７に示すように、リヤカバー１７の主要部２１の下端側は、湾曲状に折り返されて左右方向の軸心を有する筒状に形成され、閉鎖カバー２２の背面下端側には左右方向の軸心を有するパイプ、ロッド等からなる差込み部材３３が固着され、この差込み部材３３は閉鎖カバー２２から左右方向内方側に突出状とされていて、該突出部分が主要部２１下端の筒部３４に抜差し自在に挿入されている。
また、閉鎖カバー２２の上部側は着脱金具３５によって主要部２１に着脱自在に取り付けられていて、該閉鎖カバー２２はロータリ耕耘機１に農機具を取り付けるときに取り外される。
【００１９】
なお、リヤカバー１７の形式としては、閉鎖カバー２２の無い（閉鎖カバー２２が主要部２１と一体形成されている）形式のもの、主要部２１の下端側に、主整地部２４と延長整地部２３とを備えた整地カバーが着脱自在に取り付けられる形式のもの等であってもよい。
次に、前記延長整地部２３の取付構造について詳細に説明する。
図１〜図５に示すように、閉鎖カバー２２の背面の左右方向外方側には固定ブラケット３６が固着されている。
【００２０】
この固定ブラケット３６は、板材を折曲してなり、閉鎖カバー２２の背面側に固着された底壁３６ａと、この底壁３６ａの上下縁部から後方に延出された一対の支持壁３６ｂとを有し、一対の支持壁３６ｂはその板面が左右方向に沿っていると共に対向配置されている。
この固定ブラケット３６には支持壁３６ｂの板面に直交する方向の軸心を有する回動支軸３７が上下の支持壁３６ｂにわたって設けられ、この回動支軸３７を介して揺動ブラケット３８が固定ブラケット３６に該回動支軸３７の軸心回りに回動自在に支持されている。
【００２１】
この揺動ブラケット３８に延長整地部２３を固定することにより該延長整地部２３が閉鎖カバー２２（主整地部２４）に回動支軸３７の軸心回りに回動自在に支持され、回動支軸３７の軸心回りに延長整地部２３を回動することにより該延長整地部２３が延長姿勢Ｂと退避姿勢Ｃとに姿勢変更自在とされている。
揺動ブラケット３８は、板材を折曲してなり、固定ブラケット３６の各支持壁３６ｂの対向側に位置する上下一対のアーム部３８ａを有し、この上下アーム部３８ａは、固定ブラケット３６の支持壁３６ｂから左右方向外方に延出された後に延長整地部２３へと延出するように屈曲形成されている。
【００２２】
また、揺動ブラケット３８は、延長整地部２３の背面の左右方向内端側に固着され且つ上下アーム部３８ａを連結する固定壁３８ｂを有する。
揺動ブラケット３８のアーム部３８ａ間には、前記回動支軸３７に軸心回りに回動自在に外嵌された回動軸３９が設けられており、この回動軸３９の軸心方向中間部には該回動軸３９の軸心に直交する板面を有する板材からなる押動部材４０が固着されている。
この押動部材４０は、揺動ブラケット３８の固定壁３８ｂに接当する押圧部４０ａを有しており、該押動部材４０が回動支軸３７の軸心回りに回動操作されることにより、揺動ブラケット３８を介して延長整地部２３が押圧されて該延長整地部２３が延長姿勢Ｂから退避姿勢Ｃに姿勢変更される。
【００２３】
また、この押動部材４０の回動軸心方向一側（上側）には、延長整地部２３を延長姿勢Ｂから退避姿勢Ｃ側に回動させるように押動部材４０を付勢する退避操作バネ（退避操作用付勢手段）４１が配置されている。
この退避操作バネ４１は、ねじりコイルバネからなり回動軸３９に套嵌され、一端が押動部材４０に掛止され、他端が固定ブラケット３６の支持壁３６ｂに掛止されている。
また、押動部材４０には、前記操作ワイヤ２７のインナーワイヤ２８の一端側に設けられた連結部材４２が押動部材４０に設けられたピン４６に枢支連結されている。
【００２４】
前記押動部材４０は、延長整地部２３を退避姿勢Ｃとするときにはこの退避操作バネ４１によって回動操作され、且つ、延長整地部２３を延長姿勢Ｂとするときには前記インナーワイヤ２８によって回動操作されるように構成されている。
また、押動部材４０の回動軸心方向他側面（下側面）には、インナーワイヤ２８をガイドするワイヤガイド４３が設けられ、このワイヤガイド４３は、両端部分を除く大部分が回動支軸３７の軸心を中心とする円弧状に形成されている。
図１，図３に示すように延長整地部２３が延長姿勢Ｂとされている状態では、ワイヤガイド４３は回動支軸３７の左右方向内方側に位置しており、インナーワイヤ２８の一端側は、ワイヤガイド４３と主整地部２４との間を通って回動支軸３７（押動部材４０の回動支点）と主整地部２４との間で押動部材４０に連結されており、この状態で操作レバー２６が延長操作位置Ｅから退避操作位置Ｄへと揺動操作されると、退避操作バネ４１の付勢力によって押動部材４０が回動支軸３７の軸心回りに回動し、これに伴って押圧部４０ａによって揺動ブラケット３８が押圧されることにより、延長整地部２３が退避姿勢Ｃへと姿勢変更操作される（揺動ブラケット３８を介して延長整地部２３が押動部材４０によって押動されて退避姿勢Ｃへと姿勢変更操作される）。
【００２５】
このときインナーワイヤ２８は押動部材４０の回動に伴ってワイヤガイド４３に巻き掛けられながら回動支軸３７回りに移動する。
なお、本実施の形態では、延長整地部２３は着脱自在な閉鎖カバー２２に設けられていることから、インナーワイヤ２８は、アウターワイヤ２９の一端とインナーワイヤ２８の一端との間で分断されていると共に該分断部分は継手手段４４によって着脱自在に連結されており、閉鎖カバー２２を取り外す際には、前記継手手段４４による連結部分で分断できるように構成されている。
【００２６】
本実施形態にあっては、延長姿勢Ｂにおいて、延長整地部２３を圃場に押しつける方向に付勢する延長整地部抑え用付勢手段としての抑えバネ４５が押動部材４０と延長整地部２３とにわたって設けられている。
この抑えバネ４５は、引張りコイルバネからなり、一端側が押動部材４０のバネ掛け部４７に掛止され、他端側が延長整地部２３に固定されたバネ掛け部材４８に掛止されている。
この抑えバネ４５の一端側は押圧部４０ａと回動支軸３７との間に掛止されていて、延長整地部２３を押動部材４０側に（揺動ブラケット３８の固定壁３８ｂを押動部材４０の押圧部４０ａに）押しつけるように該延長整地部２３を付勢している。
【００２７】
前記延長整地部２３を退避姿勢Ｃから延長姿勢Ｂへと姿勢変更させる際にあっては、操作レバーを２６を退避操作位置Ｄから延長操作位置Ｅに揺動操作してインナーワイヤ２８を引動操作することにより延長整地部２３が延長姿勢Ｂへと回動する方向に押動部材４０が回動し、このとき延長整地部２３が押動部材４０側に押しつけられるように抑えバネ４５によって付勢されていることから、延長整地部２３が押動部材４０に追従して延長姿勢Ｂへと回動する。
なお、延長整地部２３が延長姿勢Ｂにあるときにおいて、延長整地部２３が土からの過大な荷重によって突き上げられた場合は、揺動ブラケット３８の固定壁３８ｂが押圧部４０ａから離反して抑えバネ４５の付勢力に抗して延長整地部２３が回動する。
【００２８】
従来の延長整地部２３の取付構造にあっては、図８に示すように、延長整地部２３は捩りコイルバネ５２の付勢力によって常に延長姿勢Ｂへと回動する方向に付勢され、インナーワイヤ２８の一端側は、延長整地部２３を回動自在に支持する回動支軸３７回りに回動自在なワイヤガイド５３に枢支連結されていると共に、該インナーワイヤ２８の一端側を枢支するピン４６が揺動ブラケット３８に接当しており、延長整地部２３が延長姿勢Ｂである状態のときにインナーワイヤ２８を引動操作すると、インナーワイヤ２８の一端側を枢支するピン４６によって揺動ブラケット３８が押圧され、捩りコイルバネ５２の付勢力に抗して延長整地部２３が延長姿勢Ｂから退避姿勢Ｃへと回動支軸３７回りに回動するように構成されており、延長整地部２３を延長姿勢Ｂから退避姿勢Ｃへと回動させるにつれて延長整地部２３を付勢する捩りコイルバネ５２の付勢力が徐々に大きくなり、延長整地部２３を延長姿勢Ｂと退避姿勢Ｃとに切り換える際の操作力（この場合は延長整地部２３を延長姿勢Ｂから退避姿勢Ｃへと姿勢変更させる際の操作力）が大である。
【００２９】
これに対して本実施形態にあっては、延長整地部２３を延長姿勢Ｂから退避姿勢Ｃ側に回動させるのは退避操作バネ４１の付勢力によって行われ、延長整地部２３を圃場に押しつけるのは抑えバネ４５の付勢力によって行われることから、延長整地部２３を圃場に押しつける付勢力を十分に大きく採っても、延長整地部２３を退避姿勢Ｃに回動させるための付勢力は必要最小限の付勢力にできるため、延長整地部２３を延長姿勢Ｂと退避姿勢Ｃとに切り換える際の操作力（この場合は延長整地部２３を退避姿勢Ｃから延長姿勢Ｂへと姿勢変更させる際の操作力）の低減を図ることができる。
【００３０】
また、図８に示す従来のものにあっては、インナーワイヤ２８を引動操作することにより延長整地部２３が延長姿勢Ｂから退避姿勢Ｃへと姿勢変更操作されるものであることから、インナーワイヤ２８の一端側は延長整地部２３が退避姿勢Ｃとされている状態で回動支軸３７と延長整地部２３との間でワイヤガイド５３に枢支連結され、インナーワイヤ２８の操作力を解除することにより、延長整地部２３が捩りコイルバネ５２の付勢力により回動支軸３７回りに延長姿勢Ｂへと回動し、一方インナーワイヤ２８はワイヤガイド５３に巻き掛けられながら押動部材４０の回動に伴って回動支軸３７回りに移動するように構成されている。
【００３１】
この構造から、従来のものにあっては、延長整地部２３との干渉を避けるために、図８に示すように、延長整地部２３の取付部分の近傍において操作ワイヤ２７を直線状に配設することができず、アウターワイヤ２９の一端側を固定するアウター受け３０の近傍において操作ワイヤ２７を湾曲状に屈曲させなければならず、この操作ワイヤ２７の該湾曲部分においてアウターワイヤ２９に対するインナーワイヤ２８の摺動抵抗が大きくなり、これによって操作力が増大するという問題がある。
これに対して本実施の形態では、延長整地部２３が退避姿勢Ｃにある状態でインナーワイヤ２８を引動操作することにより延長整地部２３が退避姿勢Ｃから延長姿勢Ｂへと姿勢変更操作されるものであり、インナーワイヤ２８の一端側は、延長整地部２３が延長姿勢Ｂとされている状態で回動支軸３７と主整地部２４との間で押動部材４０に連結され、インナーワイヤ２８の操作力を解除することにより、延長整地部２３が退避操作バネ４１の付勢力により退避姿勢Ｃへと回動し、一方インナーワイヤ２８はワイヤガイド５３に巻き掛けられながら押動部材４０の回動に伴って回動支軸３７回りに移動するように構成されている。
【００３２】
この構成から、本実施の形態では、図３に示すように、操作ワイヤ２７は延長整地部２３の取付部分の近傍において操作ワイヤ２７を直線状に配設することができ、従来のように操作ワイヤ２７が屈曲することによる操作力の増大を防止することができる。
なお、前記従来のものにおいて、本実施形態と同様の部材は同様の符号を付して説明を省略する。
前記構成の実施形態では、ロータリ耕耘機１として、サイドドライブ式のロータリ耕耘機１を例示したが、センタドライブ式のロータリ耕耘機１等を採用してもよい。
【図面の簡単な説明】
【００３３】
【図１】延長姿勢における延長整地部の取付部分を下側からみた断面図である。
【図２】退避姿勢における延長整地部の取付部分を下側からみた断面図である。
【図３】リヤカバーの下端側の左側を下側からみた図である。
【図４】リヤカバーの左側の背面図である。
【図５】延長整地部の取付部分の背面図である。
【図６】ロータリ耕耘機の側面図である。
【図７】リヤカバーの主要部と閉鎖カバーと延長整地部との分解側面図である。
【図８】従来の延長整地部の取付構造を示す概略図である。
【符号の説明】
【００３４】
２３    延長整地部
２４    主整地部
２５    整地部
２７    操作ワイヤ
２８    インナーワイヤ
２９    アウターワイヤ
３７    回動支点（回動支軸）
４０    押動部材
４１    退避操作用付勢手段（退避操作バネ）
４５    延長整地部抑え用付勢手段（抑えバネ）
Ｂ    延長姿勢
Ｃ    退避姿勢
【図１】
2008104369.tif 000003
【図２】
2008104369.tif 000004
【図３】
2008104369.tif 000005
【図４】
2008104369.tif 000006
【図５】
2008104369.tif 000007
【図６】
2008104369.tif 000008
【図７】
2008104369.tif 000009
【図８】
2008104369.tif 000010
【手続補正書】
【提出日】平成19年5月2日(2007.5.2)
【手続補正１】
【補正対象書類名】図面
【補正対象項目名】図６
【補正方法】変更
【補正の内容】
【図６】
2008104369.tif 000011